(57)【要約】【課題】  本発明は液種識別部材が劣化しないように保護することを課題とする。【解決手段】  液種識別部材の保持構造１０は、タンクローリ車からの荷卸しホースが接続される地下タンクの注油口１２の内部に液種識別部材１４を収納した状態で保持する構成とされている。液種識別部材１４は、荷卸し時以外のときは、注油口１２の内部に収納されているので、地下タンクのベーパに晒されており、被検出部１８の表面が腐食しにくい環境の中で保護される。保持構造１０は、液種識別部材１４の把持部１６と一体的に設けられた落下防止部材２１を係止するコイルバネ１９を有しており、注油口１２の開口付近に把持部１６が位置するように液種識別部材１４を保持している。液種識別部材１４は、風雨に晒されずに済み、被検出部１８の表面が劣化することが防止される。【選択図】  図１
2006089072.tif 000002
【特許請求の範囲】
【請求項１】
液体が供給される液体被供給口に設けられ、該液体の液種を識別するための液種識別部材を保持する液種識別部材の保持構造であって、
前記液体被供給口の内部に形成された当接部材と、
前記液種識別部材に設けられ、前記液種識別部材を前記液体被供給口の内部に収納した状態で前記当接部材に係止される落下防止部材と、
を有することを特徴とする液種識別部材の保持構造。
【請求項２】
前記当接部材は、コイルバネであることを特徴とする請求項１に記載の液種識別部材の保持構造。
【請求項３】
前記落下防止部材を略正三角形状のホルダーにより形成したことを特徴とする請求項１に記載の液種識別部材の保持構造。
【発明の詳細な説明】
【技術分野】
【０００１】
本発明は液種識別部材の保持構造に係り、特に異なる液種が供給される複数の液体被供給口を有する液体貯蔵施設で液種の混同を防止する液種識別部材の保持構造に関する。
【背景技術】
【０００２】
油槽所からガソリンスタンド等へ油液を配送するための配送手段としては、一般にタンクローリ車が使用されている。
【０００３】
タンクローリ車が給油所に到着すると、運転者は伝票に記載された配送先、油種、数量、ハッチ番号を確認すると共に、地下タンクの油種を確認して給油所の地下タンクに荷卸しする。
【０００４】
ところが、給油所において、上記のような方法で油液の荷卸し作業を行う場合、運転者が伝票の記載事項を読み間違えるおそれがある。そのため、人為的ミスにより、例えばガソリンを荷卸しすべきハッチに誤って軽油を荷卸してしまう可能性があった。このように、タンクローリ車のハッチに積み込まれた油種を間違って認識した場合、そのことに気づかずに給油所の地下タンクへ荷卸すると、地下タンクで異油種混合事故（コンタミネーション）が生じてしまう。
【０００５】
そこで、給油所では、各ハッチから地下タンクへの荷卸しを正確に行うため、タンクローリ車から油液を荷卸しする際に、油液の荷卸し状況を各タンクローリ車の車載コンピュータにより管理している。
【０００６】
この荷卸しシステムでは、地下タンクの注油口（液体被供給口）に油種情報（液種識別データ）を記憶した油種キー（液種識別部材）を設けた方式がある。この油種キー方式では、給油所の地下タンクに設けられた油種キーを荷卸しホースに設けられた接続部（油種読み取り器）に接続し、油種キーから得られた油種情報（油種識別データ）を車載コンピュータに入力するようになっている。
【０００７】
油液の積込み作業が終了したタンクローリ車は、配送先の給油所へ移動する。タンクローリ車が配送先の給油所に到着すると、運転者は車番カード又は車載コンピュータに記憶されたハッチの積込み情報から各ハッチに積み込まれた油種を確認する。そして、地下タンクの注油口近傍に設けられた銘板等を見て地下タンクの油種が例えばガソリンであることを確認する。
【０００８】
例えばガソリンを荷卸しする場合、荷卸しホースの一端をガソリンが積み込まれたハッチの吐出口に接続し、荷卸しホースの他端をガソリン用の地下タンクに設けられた注油口に接続する。荷卸しホースの先端には、注油口に設けられた油種キー（油種情報を記憶）から油種情報を読み取る油種読み取り装置が設けられている。
【０００９】
油種キーは、荷卸しホースの接続部に接続しやくするため、鎖やワイヤなどのフレキシブルな索条体を介して注油口の近傍に係止されており、荷卸しホースの接続部に接続されることで油種情報が車載コンピュータに入力される。
【００１０】
しかしながら、従来のタンクローリ車の荷卸制御装置では、注油口の近傍に置かれた油種キーが紛失しないように鎖やワイヤ等の索条体により移動可能に係止されているため、この索条体を短くした場合には、油種キーを荷卸しホースの接続部に接続しにくくなり、索条体を長くすると、荷卸しホースの接続部に接続しやすくなるが、並設された複数の注油口の各油種キーが交錯してしまうため、誤って隣の注油口の油種キーを接続部に接続してしまうおそれがある。
【００１１】
このような問題を解消するため、油種キーを注油口の外周に保持すると共に、蓋部材が注油口を閉塞すると共に油種キーを外せない構造とすることで、油種キーが紛失することを防止するように構成したものがある（例えば、特許文献１参照）。
【特許文献１】特開２００４−１２３１１８号公報
【発明の開示】
【発明が解決しようとする課題】
【００１２】
しかしながら、上記特許文献１に記載されたものは、油種キーを注油口の外周に露出させた状態で保持する構成であるので、屋外の風雨に晒されることになり、油種キー自体が汚れるばかりか、油種キーの表面が経年変化により腐食して劣化してしまうという問題があった。
【００１３】
そこで、本発明は上記課題を解決した液種識別部材の保持構造を提供することを目的とする。
【課題を解決するための手段】
【００１４】
請求項１記載の発明は、液体が供給される液体被供給口に設けられ、該液体の液種を識別するための液種識別部材を保持する液種識別部材の保持構造であって、前記液体被供給口の内部に形成された当接部材と、前記液種識別部材に設けられ、前記液種識別部材を前記液体被供給口の内部に収納した状態で前記当接部材に係止される落下防止部材と、を有することを特徴とするものである。
液種識別部材の保持構造。
【００１５】
請求項２記載の発明は、前記当接部材が、コイルバネであることを特徴とするものである。
【００１６】
請求項３記載の発明は、落下防止部材を略正三角形状のホルダーにより形成したことを特徴とするものである。
【発明の効果】
【００１７】
本発明によれば、液種識別部材を液体被供給口の内部に収納した状態で液種識別部材に設けられた落下防止部材が液体被供給口の内部に形成された当接部材に当接されるため、液種識別部材が風雨に晒されずに済み、液種識別部材の表面が劣化することを防止して液種検出に対する信頼性を確保することができると共に、液種識別部材が液体供給時以外は露出していないので、液種識別部材の紛失や盗難を防止でき、且つ液種識別部材が液体被供給口に落下することも確実に防止できる。また、液体被供給口を改造する必要がなく、比較的簡単な構成であるので、安価に製作することが可能になる。
【発明を実施するための最良の形態】
【００１８】
以下、図面と共に本発明の一実施例について説明する。
【実施例１】
【００１９】
図１は本発明になる液種識別部材の保持構造の実施例１を示す縦断面図である。図２は液種識別部材１４の構成を示す斜視図である。
図１及び図２に示されるように、液種識別部材の保持構造１０は、例えば、タンクローリ車からの荷卸しホース（図示せず）が接続される地下タンクの注油口（液体被供給口）１２の内部に液種を識別するための液種識別部材１４を収納した状態で保護する構成とされている。この液種識別部材１４は、略肉厚の短冊形状に形成されており、肉厚の板形状の把持部１６と、把持部１６より薄肉で軸方向に延在形成された板状の被検出部１８とを有する。
【００２０】
被検出部１８には、複数のマグネット（図示せず）が埋め込まれており、これらマグネットの配置パターンを液種検出器（図示せず）によって検出することにより、当該注油口１２に対応する液種を識別する識別データが読み取られる。また、液種識別部材１４は、荷卸し時以外のときは、注油口１２の内部に収納されているので、地下タンクのベーパに晒されており、被検出部１８の表面が腐食しにくい環境の中で保護される。
【００２１】
保持構造１０は、液種識別部材１４の把持部１６を係止するコイルバネ（当接部材）１９を有しており、注油口１２の開口付近に把持部１６が位置するように液種識別部材１４を保持している。
【００２２】
即ち、把持部１６には、コイルバネ１９の上端に当接する長方形状の落下防止部材２１が設けられている。把持部１６の上端に突出する連結部１６ａは、落下防止部材２１の中央に設けられた長方形の貫通孔２１ａに挿通され、連結部１６ａにはリング２６が連結されている。このリング２６の連結により、落下防止部材２１は把持部１６の上端側に抜け止めがされた状態で実質的に一体的に設けられることとなる。また、液体被供給口を改造する必要がなく、比較的簡単な構成であるので、安価に製作することが可能になる。
【００２３】
コイルバネ１９は、上端外径が下端外径よりも小さくなるように、即ち、円錐状に形成されている。また、コイルバネ１９の下端は、注油口１２の内部に下方から螺入された管路２３の段差部分に当接するように取り付けられている。そして、落下防止部材２１は、長辺側の全長がコイルバネ１９の上端外径よりも長くなっている。
【００２４】
そして、コイルばね１９は所定の高さを持っているため、落下防止部材２１との当接位置を注油口１２の開口部分近傍にもたらすことができるため、落下防止部材２１がコイルバネ１９の上端に水平状態に置かれると、液種識別部材１４は、注油口１２の開口付近に係止される。よって、蓋部材２４を注油口１２から外すと、把持部１６を把持して液種識別部材１４を注油口１２から容易に取り出すことができる。
【００２５】
図３は液種識別部材１４と蓋部材２４との連結を示す図である。
図３に示されるように、把持部１６には、液種識別部材１４が紛失することを防止する鎖２０が連結されている。この鎖２０は、一端が蓋部材２４の内部中央にねじ止めされた止め具２２に連結され、他端がリング２６を介して把持部１６の連結部１６ａに連結されている。また、鎖２０は、液種識別部材１４を注油口１２から引き出して液種検出器（図示せず）に接続できるように長さ寸法が決められている。
【００２６】
注油口１２は、給油所の地面から所定高さに突出しており、荷卸し時以外のときは蓋部材２４により閉塞されている。蓋部材２４は、注油口１２の外周に形成された凹部１２ａに嵌合させる一対のロックレバー２８を有し、ロックレバー２８を垂直状態に回動操作することによりロックレバー２８の付け根部分に形成された嵌合凸部２８ａを凹部１２ａに嵌合させてロックされる。
【００２７】
また、蓋部材２４の内部には、注油口１２の上端開口に当接してシールするシール部材３０が取り付けられている。そして、蓋部材１４は、液種識別部材１４を注油口１２に収納させた状態で注油口１２を閉塞するため、荷卸し時以外のときは、液種識別部材１４が露出しないように保護カバーとしても機能するものである。
【００２８】
また、蓋部材２４の上部には、鎖３２が連結される連結部３４が設けられている。鎖３２の他端は、注油口１２の外周に設けられた鎖止め部３６に連結されている。このように、蓋部材２４は、鎖３２を介して注油口１２と連結されているので、他の注油口１２に装着できないように設けられている。
【００２９】
ここで、荷卸し作業を行う際の操作について説明する。
タンクローリ車の運転者は、配送伝票の記載から荷卸しする液種を確認し、当該液種の地下タンクを確認する。次に荷卸しを行う注油口１２のロックレバー２８を水平状態に回動操作してロック解除する。これで、蓋部材２４を注油口１２から外すことができる。
【００３０】
図４は蓋部材２４を注油口１２から外した状態を示す平面図である。
図４に示されるように、蓋部材２４を注油口１２から外すと、コイルバネ１９の上方から注油口１２に収納されていた液種識別部材１４を取り出すことができる。
【００３１】
そして、荷卸しホースを注油口１２に接続する。続いて、当該注油口１２に設けられた液種識別部材１４の被検出部１８を荷卸しホースに設けられた液種検出器（図示せず）に挿入して被検出部１８に埋め込まれたマグネットの配置パターンを検出させる。これにより、タンクローリ車の車載コンピュータは、油槽所で積み込まれたハッチ番号の液種と被検出部１８から検出した液種とが一致することを確認して荷卸しホースが接続された吐出弁（図示せず）を開弁させる。
【００３２】
図５は液種識別部材１４を注油口１２に挿入した状態を示す平面図である。
図５に示されるように、タンクローリ車からの荷卸しが終了して荷卸しホースが注油口１２から外されると、コイルバネ１９を注油口１２に挿入する。続いて、落下防止部材２１が水平となる向きで液種識別部材１４を注油口１２に挿入して落下防止部材２１をコイルバネ１９の上端に載置する。これにより、液種識別部材１４は、コイルバネ１９の内側に挿入されるが、落下防止部材２１がコイルバネ１９の上端に当接して係止されるため、仮に鎖２０が外れた場合であっても、注油口１２の内部に落下することがない。
【００３３】
この後、図１に示されるように、コイルバネ１９の上端に落下防止部材２１を当接させ、且つ液種識別部材１４が垂直状態となる向きで収納されたまま蓋部材２４を注油口１２に装着し、ロックレバー２８を垂直状態に回動操作することにより蓋部材２４を注油口１２にロックする。これで、荷卸し作業が終了する。
【００３４】
このように、液種識別部材１４を注油口１２の内部に収納した状態で液種識別部材１４に連結された落下防止部材２１を係止するため、液種識別部材１４が風雨に晒されずに済み、液種識別部材１４の表面が劣化することを防止して液種検出に対する信頼性を確保することができる。さらに、液種識別部材１４が液体供給時以外は露出していないので、液種識別部材１４の紛失や盗難を防止でき、且つ液種識別部材１４が注油口１２に落下することも確実に防止できる。
【実施例２】
【００３５】
図６は液種識別部材の保持構造の実施例２を示す図である。図７は実施例２の分解図である。尚、図６及び図７において、前述した実施例１と同一部分には同一符号を付してその説明を省略する。
【００３６】
図６及び図７に示されるように、実施例２の保持構造４０は、液種識別部材１４の把持部１６の連結部１６ａには、略正三角形状の落下防止部材４２がキーホルダのようにリング４４を介して回動可能に連結されている。
【００３７】
落下防止部材４２は、三角形の中心線に沿うように延在形成された長孔４６を有し、リング４４が長孔４６に沿って移動可能に連結されている。また、落下防止部材４２は、上側の頂点４２ａ，４２ｂが注油口１２内のシール部材（当接部材）４８に係止されるように取り付けられる。また、頂点４２ａ，４２ｂの下側には、シール部材４８の内周に接する凹部４２ｃ，４２ｄが形成されている。
【００３８】
シール部材４８は、荷卸しホースの端部との間をシールするものであり、円筒部４８ａと、円筒部４８ａの上端から内側に突出する上部シール部４８ｂと、円筒部４８ａの下端から内側に突出する下部シール部４８ｃとを有する。落下防止部材４２の頂点４２ａ，４２ｂ間距離は、上部シール部４８ｂの内径よりも大きくなるように決められており、凹部４２ｃ，４２ｄ間距離が上部シール部４８ｂの内径とほぼ一致するように形成されている。
【００３９】
また、シール部材４８の内側には、コイルバネ５１が挿入されており、コイルバネ５１の押圧力により上部シール部４８ｂを上方に付勢している。従って、落下防止部材４２の凹部４２ｃ，４２ｄが上部シール部４８ｂの内周に当接して落下防止される際、シール部材４８はコイルバネ５１の押圧力により内側に変形しないように支持されている。
【００４０】
落下防止部材４２は、リング４４を介して把持部１６の連結部１６ａに回動可能に連結されているので、落下防止部材４２の凹部４２ｃ，４２ｄが上部シール部４８ｂの内周に当接すると、液種識別部材１４が垂直状態に吊り下げられる。そのため、液種識別部材１４は、荷卸し時以外のときは、注油口１２の内部に収納されているので、地下タンクのベーパに晒されており、被検出部１８の表面が腐食しにくい環境の中で保持される。
【００４１】
また、リング４４には、蓋部材５０の内側に連結された鎖２０の端部が連結されている。蓋部材５０は、上記ロックレバー２８の代わりに連結部５２が外周に設けられている。そして、注油口１２の外周に回動可能に設けられた固定レバー５４の貫通孔５４ａに連結部５２が挿通されて蓋部材５０が上方に移動することが制限される。また、蓋部材５０は、鎖３２により注油口１２の外周に突出する連結部に連結されている。
【００４２】
荷卸し時には、固定レバー５４を水平状態になるように回動操作することで、蓋部材５０に対する係止が解除される。そして、蓋部材５０を上方に持ち上げることにより、注油口１２が開放されて液種識別部材１４及び落下防止部材４２が露出される。このとき、液種識別部材１４は、落下防止部材４２がシール部材４８の上部シール部４８ｂに係止されているので、容易に取り出すことができる。そして、落下防止部材４２を液種識別部材１４の被検出部１８から離間させるようにずらして被検出部１８を荷卸しホースに設けられた液種検出器（図示せず）に挿入して被検出部１８に埋め込まれたマグネットの配置パターンを検出させる。
【００４３】
実施例２では、荷卸しホースの端部をシールするためのシール部材４８を当接部材として用いるため、上記実施例１のコイルバネ１９のように荷卸しホースを挿入する際に取り出す必要が無く、その分操作の手間が簡略化されている。
【産業上の利用可能性】
【００４４】
上記実施例では、タンクローリ車から油液（燃料）を荷卸しされる地下タンクの注油口を例に挙げて説明したが、これに限らず、燃料以外の液体を荷卸しする際のコンタミネーションを防止するための液種識別部材を保持する構造にも本発明を適用することができるのは勿論である。
【００４５】
また、上記実施例では、落下防止部材２１の形状を長方形とし、落下防止部材４２の形状を三角形としたが、これに限らず、要は液種識別部材１４が落下しないような形状であれば良いので、他の形状でも良いの勿論である。
【図面の簡単な説明】
【００４６】
【図１】本発明になる液種識別部材の保持構造の実施例１を示す縦断面図である。
【図２】液種識別部材１４の構成を示す斜視図である。
【図３】液種識別部材１４と蓋部材２４との連結を示す図である。
【図４】蓋部材２４を注油口１２から外した状態を示す平面図である。
【図５】液種識別部材１４を注油口１２に挿入した状態を示す平面図である。
【図６】液種識別部材の保持構造の実施例２を示す図である。
【図７】実施例２の分解図である。
【符号の説明】
【００４７】
１０，４０  保持構造
１２  注油口
１４  液種識別部材
１６  把持部
１８  被検出部
１９  コイルバネ（当接部材）
２０，３２  鎖
２１，４２  落下防止部材
２４，５０  蓋部材
２８  ロックレバー
３０  シール部材
４８  シール部材
【図１】
2006089072.tif 000003
【図２】
2006089072.tif 000004
【図３】
2006089072.tif 000005
【図４】
2006089072.tif 000006
【図５】
2006089072.tif 000007
【図６】
2006089072.tif 000008
【図７】
2006089072.tif 000009